(57)【特許請求の範囲】
【請求項１】
可撓性のある表面シートの裏面に、踵骨から中足骨に至る領域に対応させてプラスチック板より成る支持基板と、支持基板が貼設された領域以外の領域にシート状の弾性材より成る先端部トップカバーとが貼設され、前記先端部トップカバーの内面には、第１中足骨の骨頭部、拇趾の中足趾節関節、および第１趾骨の基節骨に対応する領域を囲むように、第２〜第５中足骨の骨頭部から第２〜第５趾骨の基節骨に至る領域に対応する領域と、第１趾骨の末節骨に対応する領域とに、シート状の弾性材を貼設して、部分的に肉厚が厚い厚肉部が形成されており、前記弾性材は、第２〜第５中足骨の骨頭部から第２〜第５趾骨の基節骨に至る領域に対応する領域に貼設される部分と第１趾骨の末節骨に対応する領域に貼設される部分とが連続するように高密度マイクロセルウレタンフォームにより一連に形成されて成る靴中敷。
【発明の詳細な説明】
【技術分野】
【０００１】
この発明は、靴やサンダルなどの履物に用いられる靴中敷に関し、特に、自然な歩行を支援して、外反拇趾などの足の障害の発生を防止し得る靴中敷に関する。
【背景技術】
【０００２】
人間の歩行のメカニズムは、まず、足の踵が着地し（接床期）、その後、踵部に掛かった重心が前足部へ移動するとともに、第５中足骨の骨頭部から第１中足骨の骨頭部へ移動して安定した立位となり（立脚中期）、その後、中足趾節関節が反るような形態（背屈位）で、主として第１中足骨の骨頭部（拇趾球）を支点として床面を蹴り上げて離床するものである（離床期）。この歩行のメカニズムに沿った理想的な歩行が行われることで、身体各部への負担が少なくなり、種々の障害の発生を防止することができる。
【０００３】
しかし、腓腹筋やヒラメ筋が短い、足の関節が硬いなどの理由によって特に足の親指（以下「拇趾」という。）が曲がりにくい人の場合、前記した離床期において、拇趾部分の背屈が力強くかつ円滑に行われ難いため、特に足底筋へ無理な負担がかかり、外反拇趾、アキレス腱炎、足底腱膜や拇趾の魚の目や胼胝などの障害を招くおそれがある。
この問題に鑑み、出願人は先般、自然で理想的な歩行動作を支援して、各種の足の障害の発生を防止するようにした靴中敷を提案した（例えば、特許文献１参照）。
【先行技術文献】
【特許文献】
【０００４】
【特許文献１】特許第４０７６５５５号公報
【０００５】
この靴中敷は、図５および図６に示すように、可撓性のある表面シート４０の裏面に踵骨２７から第２〜第５趾骨２１ｂ〜２１ｅの基節骨２２ｂ〜２２ｅに至る領域に対応させてプラスチック板より成る支持基板３０が貼設されたものである。支持基板３０は、第２〜第５中足骨２６ｂ〜２６ｅの骨頭部から第２〜第５趾骨２１ｂ〜２１ｅの基節骨２２ｂ〜２２ｅに対応する領域Ｓは、荷重に対して撓むことが可能なように薄い肉厚に、その他の領域は、荷重を受けても撓まないように厚い肉厚に、それぞれ形成されている。支持基板３０は、第１中足骨２６ａの骨頭部、拇趾の中足趾節関節２５ａ、および第１趾骨２１ａの基節骨２２ａに対応する領域が切り欠かれている。表面シート４０の裏面には、支持基板３０が貼設された領域以外の領域にシート状の弾性材より成る先端部トップカバー５０が貼設され、先端部トップカバー５０の内面の第１趾骨２１ａの末節骨２３ａに対応する領域にシート状の弾性材６０が貼設されている。
【０００６】
上記した構成の靴中敷１０上に足を載せると、支持基板３０によって後足部および前足部が支持されるが、拇趾の中足趾節関節２５ａは切り欠かれた部分で沈み込むので、拇趾部分の背屈、すなわち、拇趾の中足趾節関節２５ａの反りが支援されて第１中足骨２６ａの骨頭部による床面の蹴り上げが力強くかつ円滑に行われる。これと連動して第２〜第４中足趾節関節２５ｂ〜２５ｄから第２〜第４趾骨２１ｂ〜２１ｄの背屈も円滑に行われる。特に、弾性材６０が貼設された厚肉部１６の存在によって歩行時における拇趾部分の背屈機能が一層高められるので、離床期の運動が円滑となり、歩行運動が一層円滑に行うことができる。この靴中敷によると、立脚中期から離床期までの足の運動が理想的に行われ、自然な歩行動作が実現される。その結果、足の各部へ無理な負担がかからず、特に足底筋に対するストレスが大幅に改善され、外反拇趾、アキレス腱炎、足底腱膜や拇趾の魚の目や胼胝などの障害を引き起こすのが防止される。
【発明の概要】
【発明が解決しようとする課題】
【０００７】
しかし、上記した靴中敷１０において、プラスチック板より成る支持基板３０は硬くて柔軟性がないうえ、第２〜第５中足骨２６ｂ〜２６ｅの骨頭部から第２〜第５趾骨２１ｂ〜２１ｅの基節骨２２ｂ〜２２ｅに対応する領域Ｓは肉厚が薄いので、歩行の際の衝撃や振動は、支持基板３０によって吸収されることがなく、第２〜第５中足骨２６ｂ〜２６ｅの骨頭部に伝わる結果、第２〜第５中足骨２６ｂ〜２６ｅの骨頭部に疲れと痛みとを発生させるおそれがある。
【０００８】
この発明は、上記した問題を解決するためになされたもので、歩行の際の衝撃や振動を吸収して中足骨の骨頭部へ伝わらないようにすることにより、中足骨の骨頭部に疲れや痛みを生じさせるおそれがない靴中敷を提供することを目的とする。
【課題を解決するための手段】
【０００９】
この発明による靴中敷は、可撓性のある表面シートの裏面に、踵骨から中足骨に至る領域に対応させてプラスチック板より成る支持基板と、支持基板が貼設された領域以外の領域にシート状の弾性材より成る先端部トップカバーとが貼設されたものである。前記先端部トップカバーの内面には、第１中足骨の骨頭部、拇趾の中足趾節関節、および第１趾骨の基節骨に対応する領域を囲むように、第２〜第５中足骨の骨頭部から第２〜第５趾骨の基節骨に至る領域に対応する領域と、第１趾骨の末節骨に対応する領域とに、シート状の弾性材を貼設して、部分的に肉厚が厚い厚肉部が形成されている。そして前記弾性材は、第２〜第５中足骨の骨頭部から第２〜第５趾骨の基節骨に至る領域に対応する領域に貼設される部分と第１趾骨の末節骨に対応する領域に貼設される部分とが連続するように高密度マイクロセルウレタンフォームにより一連に形成されている。
【００１０】
この発明による靴中敷上に足を載せると、支持基板によって後足部および前足部が支持されるが、拇趾の中足趾節関節は沈み込むので、拇趾部分の背屈、すなわち、拇趾の中足趾節関節の反りが支援されて第１中足骨の骨頭部による床面の蹴り上げが力強くかつ円滑に行われる。これと連動して第２〜第４中足趾節関節から第２〜第４趾骨の背屈も円滑に行われる。そのうえ、表面シートの裏面の第１趾骨の末節骨に対応する領域に弾性材が貼設されているので、その厚肉部によって歩行時における拇趾部分の背屈機能が一層高められ、離床期の運動が円滑となり、歩行運動が一層円滑に行うことができる。これにより立脚中期から離床期までの足の運動が理想的に行われ、自然な歩行動作が実現される。その結果、足の各部へ無理な負担がかからず、特に足底筋に対するストレスが大幅に改善され、外反拇趾、アキレス腱炎、足底腱膜や拇趾の魚の目や胼胝などの障害を引き起こすことがない。しかも、表面シートの裏面の第２〜第５中足骨の骨頭部から第２〜第５趾骨の基節骨に至る領域に対応する領域に、第１趾骨の末節骨に対応する領域に貼設される前記弾性材と一連の弾性材が貼設されているので、その厚肉部分によって歩行の際の衝撃や振動が吸収されて第２〜第５中足骨の骨頭部に伝わらず、第２〜第５中足骨の骨頭部に疲れや痛みを発生させるおそれがない。そのうえ、前記弾性材として、高密度で、極めて微細であり、かつ均一なセル構造をもった発泡体である高密度マイクロセルウレタンフォームが用いられているので、圧縮残留歪（ヘタリ）が小さく、衝撃や振動を素早く吸収する作用がある。
【発明の効果】
【００１３】
この発明によると、自然で理想的な歩行動作を支援することができ、その結果、足の各部へ無理な負担がかかるのを防止でき、特に足底筋に対するストレスが大幅に改善され、外反拇趾、アキレス腱炎、足底腱膜や拇趾の魚の目や胼胝などの障害の発生を防止できる。また、歩行の際の衝撃や振動を吸収して中足骨の骨頭部へ伝わらないようにするので、中足骨の骨頭部に疲れや痛みを生じさせるおそれがない。
【図面の簡単な説明】
【００１４】
【図１】この発明の一実施例である靴中敷の背面図である。
【図２】図１の実施例の外形を足の骨格とともに示した平面図である。
【図３】図１の実施例の先端部トップカバーを剥がした状態の背面図である。
【図４】図１のＡ−Ａ線に沿う断面図である。
【図５】従来の靴中敷の背面図である。
【図６】従来の靴中敷の外形を足の骨格とともに示した平面図である。
【発明を実施するための形態】
【００１５】
図１は、この発明の一実施例である靴中敷１を裏面から見た外観を示している。また、図２は、靴中敷の外形（一点鎖線で示す。）を足２の骨格とともに示したものである。図２において、２１ａ〜２１ｅは第１〜第５趾骨、２２ａ〜２２ｅおよび２３ａ〜２３ｅは第１〜第５趾骨２１ａ〜２１ｅの基節骨および末節骨、２４ｂ〜２４ｅは第２〜第５趾骨２１ｂ〜２１ｅの中節骨、２５ａ〜２５ｅは第１〜第５中足趾節関節、２６ａ〜２６ｅは第１〜第５中足骨、２７は踵骨である。なお、図示の靴中敷１は右足用であるが、左足用についても同様の構成であり、ここでは図示並びに説明を省略する。
【００１６】
図示例の靴中敷１は、図１、図３、および図４に示すように、可撓性のある柔軟な表面シート４の裏面に可撓性のない支持基板３と柔軟で弾力性のある先端部トップカバー５とが貼設されたものである。この実施例の表面シート４は人工皮革をもって靴の中底面の外形に沿う形状に形成されているが、荷重を受けて適度に撓む柔軟なものであれば、表面シート４の材質は問わない。
【００１７】
前記支持基板３は、硬質のプラスチック板により足２の踵骨２７から第１〜第５中足骨２６ａ〜２６ｅに至る領域に対応する大きさおよび形状に形成されている。支持基板３の前端縁に沿う領域は撓み易くするためにやや薄い肉厚に形成され、その他の領域は荷重を受けても容易に撓まないように厚い肉厚に形成されている。
【００１８】
支持基板３の踵部位置には、円形の貫通孔１３が形成されるとともに、この貫通孔１３には円板状の踵支持板１４が嵌め込まれて表面シート４に接合されている。前記踵支持板１４は、足の踵を支持するためのもので、この踵支持板１４として後述する先端部トップカバー５と同じ材質の弾性材が用いてある。踵支持板１４は足の荷重により踵の形状に沿って貫通孔１３内で圧縮変形するので、踵は貫通孔１３内に嵌った状態で安定支持される。
【００１９】
前記先端部トップカバー５は、シート状の弾性材より成るもので、表面シート４の裏面の支持基板３が貼設された領域以外の領域、すなわち、第１〜第５中足骨２６ａ〜２６ｅから爪先に至る領域に貼設されている。この実施例では、弾性材として、高密度マイクロセルウレタンフォーム（商標名「ポロン」）を用いているが、これに限らず、低反発弾性ウレタンフォームのようなポリウレタン樹脂を組成とした発泡体を用いることもできる。
【００２０】
先端部トップカバー５の裏面には、第１中足骨２６ａの骨頭部、拇趾の中足趾節関節２５ａ、および第１趾骨２１ａの基節骨２２ａに対応する領域を囲むように、第２〜第５中足骨２６ｂ〜２６ｅの骨頭部から第２〜第５趾骨２１ｂ〜２１ｅの基節骨２２ｂ〜２２ｅに至る領域に対応する領域と、第１趾骨２１ａの末節骨２３ａに対応する領域とに、一連のシート状の弾性材６を貼設して、部分的に肉厚が厚い厚肉部１５が形成されている。靴中敷１上に足を載せたとき、厚肉部１５により囲まれた領域において、拇趾の中足趾節関節２５ａが沈み込むようになっている。
【００２１】
上記した構成の靴中敷１上に足を載せると、支持基板３によって後足部および前足部が支持されるが、拇趾の中足趾節関節２５ａは沈み込むので、拇趾部分の背屈、すなわち、拇趾の中足趾節関節２５ａの反りが支援されて第１中足骨２６ａの骨頭部による床面の蹴り上げが力強くかつ円滑に行われる。これと連動して第２〜第４中足趾節関節２５ｂ〜２５ｄから第２〜第４趾骨２１ｂ〜２１ｄの背屈も円滑に行われる。そのうえ、表面シート４の裏面の第１趾骨２１ａの末節骨２３ａに対応する領域に弾性材６が貼設されているので、その厚肉部１５によって歩行時における拇趾部分の背屈機能が一層高められ、離床期の運動が円滑となり、歩行運動が一層円滑に行うことができる。これにより立脚中期から離床期までの足の運動が理想的に行われ、自然な歩行動作が実現される。その結果、足の各部へ無理な負担がかからず、特に足底筋に対するストレスが大幅に改善され、外反拇趾、アキレス腱炎、足底腱膜や拇趾の魚の目や胼胝などの障害を引き起こすことがない。
【００２２】
しかも、表面シート４の裏面の第２〜第５中足骨２６ｂ〜２６ｅの骨頭部から第２〜第５趾骨２１ｂ〜２１ｅの基節骨２２ｂ〜２２ｅに至る領域に対応する領域に弾性材６が貼設されているので、その厚肉部１５によって歩行の際の衝撃や振動が吸収されて第２〜第５中足骨２６ｂ〜２６ｅの骨頭部に伝わらず、第２〜第５中足骨２６ｂ〜２６ｅの骨頭部に疲れや痛みを発生させるおそれがない。
この実施例では、前記シート状の弾性材６として、高密度マイクロセルウレタンフォーム（商標名「ポロン」）が用いられているので、圧縮残留歪（ヘタリ）が小さく、衝撃や振動を素早く吸収する作用がある。
【符号の説明】
【００２３】
１    靴中敷
３    支持基板
４    表面シート
５    先端部トップカバー
６    弾性材
１５  厚肉部
２    足
２５ａ  拇趾の中足趾節関節
２１ａ〜２１ｅ  第１〜第５趾骨
２２ａ〜２２ｅ  第１〜第５基節骨
２３ａ〜２３ｅ  第１〜第５末節骨
２５ａ〜２５ｅ  第１〜第５中足趾節関節
２６ａ〜２６ｅ  第１〜第５中足骨
２７  踵骨
【図１】
0005271312.tif 000002
【図２】
0005271312.tif 000003
【図３】
0005271312.tif 000004
【図４】
0005271312.tif 000005
【図５】
0005271312.tif 000006
【図６】
0005271312.tif 000007